(57)【要約】  電気コンダクタを母線（バスバー）などに接続させるための接続デバイス（１０）であって、電気コンダクタを固定させるための接続部品、具体的には摩擦バネと、少なくとも１つのアクチュエータ部品（４）と、少なくとも１つの記号表示させるためのマーキングデバイス（Ｍ）とを備え、マーキングデバイス（Ｍ）がアクチュエータ部品（１２）上に配置されることを特徴とする。
2014514695.tif 000002
【特許請求の範囲】
【請求項１】
電気コンダクタを固定するための接続部品、具体的には摩擦バネと、少なくとも１つのアクチュエータ部品（１２）と、記号表示のための少なくともマーキングデバイス（Ｍ）とを備えている、電気コンダクタを母線などに接続させるための接続デバイス（１０）において、
前記マーキングデバイス（Ｍ）が前記アクチュエータ部品（１２）に配置されていることを特徴とする、接続デバイス。
【請求項２】
前記アクチュエータ部品（１２）がプラグインダクト（１３）を有しており、前記マーキングデバイス（Ｍ）が、前記プラグインダクト（１３）と係合するプラグイン部品として作製されていることを特徴とする請求項１に記載の接続デバイス。
【請求項３】
前記バネストリップがプラグイン摩擦バネであり、該プラグイン摩擦バネにはアクチュエータ部品が関連づけされており、該アクチュエータ部品が、摩擦点（８）を開くために摩擦バネの摩擦脚部を押し込むように設計されており、前記アクチュエータ部品が、好ましくはコンダクタ挿入開口部（Ｘ）の中にまたはそれと平行に延びる前記プラグインダクト（１３）を有していることを特徴とする請求項２に記載の接続デバイス。
【請求項４】
前記プラグインダクト（１３）が、前記アクチュエータ部品（１２）の中を前記プラグイン方向（Ｘ）に向かって貫通する通路として形成されていることを特徴とする請求項２または３に記載の接続デバイス。
【請求項５】
各プラグイン部品が頭部（１４）とシャフト（１５）とを有し、シャフト（１５）が前記プラグインダクト（１３）内に挿入され、前記頭部（１４）が前記アクチュエータ部品（１２）に当接するように構成されていることを特徴とする、請求項３または４に記載の接続デバイス。
【請求項６】
前記頭部と、前記アクチュエータ部品（１２）において前記シャフト（１５）の外側にある部分とが、少なくとも１つの領域において、形状により係止されて固定されるように互いに係合するように構成されていることを特徴とする請求項１乃至５のうちのいずれか一項に記載の接続デバイス。
【請求項７】
各プラグイン部品（Ｍ）のシャフト（１５）がシリンダ形状になっていることを特徴とする請求項１乃至６のうちのいずれか一項に記載の接続デバイス。
【請求項８】
各プラグイン部品（Ｍ）のシャフト（１５）が楕円形状または多角形状になっていることを特徴とする請求項１乃至７のうちのいずれか一項に記載の接続デバイス。
【請求項９】
各シャフト（１５）の基本的な直径が前記プラグインダクト（１３）の内径よりも小さくなっていることを特徴とする請求項１乃至８のうちのいずれか一項に記載の接続デバイス。
【請求項１０】
各プラグイン部品（Ｍ）のシャフト（１５）に、少なくとも１つまたは複数の安全ストリップ（１６）、好ましくは３つの安全ストリップ（１６）が設けられていることを特徴とする請求項１乃至９のうちのいずれか一項に記載の接続デバイス。
【請求項１１】
シャフト（１５）が前記プラグイン開口部を完全に通り抜け、前記プラグイン開口部における前記頭部とは反対側にある端部から、前記安全ストリップと共に突出していることを特徴とする請求項１乃至１０のうちのいずれか一項に記載の接続デバイス。
【請求項１２】
各プラグイン部品（Ｍ）のシャフト（１５）が、前記プラグイン部品（Ｍ）の前記シャフト（１５）の少なくとも終端部に延設される少なくとも１つの極めて変形可能な安全ストリップ（１６）を有していることを特徴とする請求項１乃至１１のうちのいずれか一項に記載の接続デバイス。
【請求項１３】
前記摩擦バネが圧縮バネ端子であることを特徴とする請求項１乃至１２のうちのいずれか一項に記載の接続デバイス。
【請求項１４】
前記摩擦バネが圧縮バネ端子であることを特徴とする請求項１乃至１３のうちのいずれか一項に記載の接続デバイス。
【請求項１５】
前記摩擦バネがプラグインバネであることを特徴とする請求項１乃至１４のうちのいずれか一項に記載の接続デバイス。
【発明の詳細な説明】
【技術分野】
【０００１】
本発明は、請求項１の前提部分にかかる接続デバイスに関するものである。
【背景技術】
【０００２】
このような接続デバイスの多種多様なモデルが公知となっている。それらのモデルは、単一ポールモデルまたは多重ポールモデルとして構築することができる。好ましいモデルでは、電気コンダクタは、少なくとも１つの圧縮バネによりネジを用いることなく固定される。
【発明の概要】
【発明が解決しようとする課題】
【０００３】
電気コンダクタを指定／特定（識別）するため、マーキング部品が有利となるかまたはおそらく必要となる。ただし、電気コンダクタが、印刷可能な識別用の表面または他の方法で記入可能な表面を有していることを前提とする。利用可能な空間が非常に制限されているため、接続デバイス上にまたは接続デバイスの近傍にこれらの部品を配置する場合、問題が生じることが多い。
本発明の目的はこの問題を解決することにある。
【課題を解決するための手段】
【０００４】
この問題は請求項１の対象により解決される。本発明の有利な変形例は請求項１の従属項に記載されている。
本発明によれば、マーキングデバイスは、空間を非常に有効利用する方法で接続デバイスのアクチュエータ部品に配置されている。
本発明は、とくにプッシュイン技術における接続デバイスのアクチュエータ部品に適している。接続デバイスが断面の小さなコンダクタ用に精密に設計されている場合、マーカーまたはマーキングデバイスを取り付けるために利用可能な空間がほんの少ししかないため、本発明が非常に有利となる。一方、アクチュエータ部品はマーキングデバイスを取り付けるための既存の好都合なスポットを提供する。
すなわち、この方法によりアクチュエータ部品上の空間をほとんど２重に用いることができるようになるからである。１つはアクチュエータ機能のため、そしてもう１つはマーキング機能のためである。プッシュイン接続の操作性は、マーキング機能のプロセスによって妨げられてしまうというようなことはない。
【０００５】
それに代えて、異なる接続技術を用いて、接続デバイスのアクチュエータ部品、たとえばとくに引っ張りコイルバネ端子またはＩＤＣ端子用のアクチュエータデバイスにマーキングデバイスを配置することも考えられる。
このような接続デバイスを、プラグインデバイス、端子ブロックまたは最も変形された種類の他の装置にも用いることができる。
各プラグイン部品を取り扱うとくに有利な方法としての好ましい実施形態によれば、シャフトがシリンダ状に形成され、このシリンダの基本的直径が各プラグインダクトの内径未満となっており、各プラグイン部品のシャフトが、少なくとも当該シャフトの終端部に延設される少なくとも１つの極めて変形可能な止めピンを有している。基本的な直径とは、１つ以上の止めピンがモールド成型される大きなシャフトの直径のことである。シリンダ形状についての実施形態は他にも考えられる。たとえば、何らかの他の方法では、断面が正方形または断面が多角形などである。
【０００６】
各プラグイン部品は、挿入時、１つ以上の止めピンに変形が生じ、その結果、形状により係止されて固定される（ｆｏｒｍ−ｌｏｃｋｉｎｇ  ｆｉｘａｔｉｏｎ）ことになる。このことは、アンダーカットのようなものであると考えられている。各止めピンはシャフトの長手方向に沿って延設されている。
好ましくは、３本の止めピンがシャフト上に設けられ、互いに角度間隔をおいて並べられている。このようにして、止めピンはいわゆるガイドを実現している。
塑性変形およびアンダーカット形成が可能であることを確実なものとするためには、各プラグインダクトが、挿入されたプラグイン部品の頭部とは反対側に自由空間を有していることが前提とされる。
アクチュエータ部品と頭部との間で互いに対向している側面同士が形状により係止されて固定されるという任意選択的な効果は、頭部とアクチュエータ部品との間のねじれに対する防衛手段となる。好ましい実施形態では、アクチュエータ部品を向いている側面上のすべてのプラグイン部品の頭部が、対応して形成された凹部内のアクチュエータ部品の外面に存ずる少なくとも１つの成形ピンを有していることが前提とされている。
材料の節約およびツールからモールド成型品をうまく取り出すことを考えると、成形ピンの断面が台形状に形成されることが前提とされる。通常、プラグイン部品は適切なツールを用いて射出成形法により合成物質から形成される。
【図面の簡単な説明】
【０００７】
本発明は、添付の図面を参照して例示の実施形態により詳述される。
【図１】接続デバイスを示す斜視図である。
【図２】プラグインダクトに隣接する領域を詳細に示す外形図である。
【図３】アクチュエータ部品に挿入されたマーキング部品およびプラグイン部品を示す断面図である。
【発明を実施するための形態】
【０００８】
図１は、例示を目的としたもので、ソケット基盤１を示している。該ソケット基盤１は、プラグイン前部２を有している。プラグイン前部２には、この図に例示を目的として示されている２列の隣接するソケット接触子３が配置されている。ソケット基盤１およびそのソケット接触子３は、それに対応する図示されていないピンストリップをピン接触子と接触させるように、またはピン接触子をプリント回路基板と接触させるように構成されている。
プラグイン前部の反対側では、各ピン接触子３は、コンダクタ用の接続デバイス４と導通するように接続される。これらのコンダクタ用の接続デバイス４は、プッシュイン端子として製作されている。プッシュイン端子は、たとえばドイツ国実用新案公報20 2010 008 028号から公知である。それぞれの場合、プッシュイン端子は、摩擦ケージ６の中にたとえば挿入されている少なくとも１つのＶ字形の摩擦バネ５を有しているのが好ましい。
摩擦バネ５は摩擦脚部７を有している。摩擦脚部７は、摩擦点８の領域内のコンダクタを摩擦ケージの内壁９に対してまたは母線に対して押し付けるように設計されている。
接続デバイス４、および導通するように接続デバイス４に接続されるソケット接触子は、ハウジング１０内に挿入される。このハウジング１０には複数のコンダクタを差し込む（プラグイン）ためのダクト１１が設けられている。これら複数のコンダクタを差し込むためのダクト１１は、横一列におよび縦一列に並んで配置されている。これらの中にて摩擦点８の中へとコンダクタ（ここでは図示せず）が挿入され得る。
【０００９】
各接続デバイス４にはアクチュエータ部品１２が接続されている。アクチュエータ部品１２は、ゲートの摩擦点を開けて接続されているコンダクタを取り除くために（または、コンダクタを接続するために）摩擦脚部を押し込む（コンダクタの挿入方向Ｘに向かって押す）ように用いられかつ形成される。
このアクチュエータ部品は、プラグインダクト、とくに図１ではプラグインダクト１３を有している。プラグインダクト１３は、コンダクタ挿入用開口部の中にまたは該開口部に対して平行に延び、プラグイン方向Ｘに向かってアクチュエータ部品を貫通する通路として形成されている。
各プラグインダクトには、または図１のとくに好ましい実施形態では各接続デバイス４には、プラグイン部品として作製されたマーキングデバイスＭがさらに接続されている。プラグイン部品の正確な形状は図３と併せて図1を参照することにより明瞭になる。従って、各プラグイン部品は頭部１４とシャフト１５とからなる。シャフト１５はシリンダ状に形成されており、一方、頭部１４は、この例示の実施形態では正方形状になっている。
【００１０】
とくに図３から明らかなように、プラグイン部品Ｍのシャフト１５には、この場合長手方向に沿って延びている３つの安全ピン１６が設けられている。それによって、シャフト１５の基本的な直径はプラグインダクト１３の直径未満である。このようにして、各プラグイン部品Ｍをプラグインダクト１３の中へある力で挿入することができる。このプロセスでは、合成物質の形状弾性および材料弾性の特性が用いられるので、各プラグイン部品Ｆは形状により係止されて固定される（ｆｏｒｍ−ｌｏｃｋｉｎｇ  ｆｉｘａｔｉｏｎ）。この目的のために、各プラグインダクト１３の接続のために自由空間１７が設けられる。
【００１１】
図１には、プラグイン部品Ｍ、または各プラグイン部品Ｍの頭部１４のハウジング１０に向いている側面が少なくとも１つの成形ピン１８を有し、この成形ピン１８の断面が好ましくは台形であることが示されている。組み立てられた状態では、これらの成形ピン１８は、頭部１４に面しているアクチュエータ部品１２の側面に対応して形成された凹部１９に係合する。
従って、組み立て時、位置調整および心出しが行われ、また、簡単な手段で、頭部１４とアクチュエータ部品との間の位置および回転について安全性がさらに確かめられることになる。また、各プラグイン部品Ｍを取り出す目的でこの領域にツールを差し込むことも考えられる。好ましくは、プラグイン方向Ｘに対して直交する面内の頭部１４の表面は、レタリング用に大きな表面が利用可能となるように、また、取り出しが容易となるように、アクチュエータ部品１２の対応する側面の表面よりも大きくなっている。
各プラグイン部品Ｍのシャフト１５に長手方向に沿って延びるピン１６を設け、各プラグインダクト１３の下方に自由空間１７を形成しているので、各プラグイン部品Ｍを形状により係止して固定する、すなわちアンダーカットのような作用により固定することができるという利点がある。さらに、プラグイン部品Ｍの各頭部１４に成形ピン１８を設けているので、位置調整および抜き出しが可能となるという利点がある。
【符号の説明】
【００１２】
ソケット基盤  １
プラグイン前側部  ２
ソケット接触子  ３
接続デバイス  ４
摩擦バネ  ５
摩擦ケージ  ６
摩擦脚部  ７
摩擦点  ８
内壁  ９
ハウジング  １０
コンダクタプラグインダクト  １１
アクチュエータ部品  １２
プラグインダクト  １３
頭部  １４
シャフト  １５
安全ストリップ  １６
自由空間  １７
成形ストリップ  １８
成形ストリップ凹部  １９
プラグイン方向  Ｘ
マーキングデバイス  Ｍ
【図１】
2014514695.tif 000003
【図２】
2014514695.tif 000004
【図３】
2014514695.tif 000005
【国際調査報告】
2014514695.tif 000006
2014514695.tif 000007
2014514695.tif 000008
2014514695.tif 000009
2014514695.tif 000010
2014514695.tif 000011